(57)【要約】【課題】クリック発生部に起因した外観低下の問題を解消し、また切換時の安定したクリック感を得られるようにする。【解決手段】一方部材８に他方部材７を着脱可能に拘束する場合に用いられて、一方部材８に固定するための締結部を有した固定部材１と、固定部材１に対して回動可能に内嵌された状態で他方部材７の開口７ａを通過し、所定角回動させると前記他方部材を離間不能にするロック部２２を有した回動部材２とからなるクリップ３であって、回動部材２及び固定部材１の一方側に設けられた弾性係合片２７と、他方側に設けられて弾性係合片が係脱する係合部１３とからなる係合手段４を備え、係合手段４が他方部材７よりも固定部材１側に配置され、回動部材２を回動して係合部１３に対する弾性係合片２７の係合状態と係合解除状態とを切り換えるのに伴ってクリック感を発生させる。【選択図】図４
2015135172.tif 000002
【特許請求の範囲】
【請求項１】
一方部材に他方部材を着脱可能に拘束する場合に用いられて、前記一方部材に固定するための締結部を有した略筒状の固定部材と、前記固定部材に対して回動可能に内嵌された状態で前記他方部材に設けられた開口を通過し、所定角回動させると前記他方部材を離間不能にするロック部を有した回動部材とからなるクリップであって、
前記回動部材及び前記固定部材の一方側に設けられた弾性係合片と、他方側に設けられて前記弾性係合片が係脱する係合部とからなる係合手段を備え、
前記係合手段が前記他方部材よりも前記固定部材側に配置され、前記回動部材を回動して前記係合部に対する前記弾性係合片の係合状態と係合解除状態とを切り換えるのに伴ってクリック感を発生させることを特徴とするクリップ。
【請求項２】
前記係合手段は、前記回動部材が前記固定部材に内嵌された状態で前記固定部材の筒状の内側に配されていることを特徴とする請求項１に記載のクリップ。
【請求項３】
前記固定部材は、筒状の下側周囲壁に設けられて前記一方部材の取付孔に弾性係合する前記締結部である弾性係合脚と、筒状の上側筒内に設けられた前記係合部とを有していると共に、筒状の上側開口が前記回動部材に設けられたフランジ部により閉塞されることを特徴とする請求項１又は２に記載のクリップ。
【請求項４】
前記固定部材は前記係合部の下方で、かつ前記締結部の内側に設けられた略円筒状の壁部を有していると共に、前記回動部材は前記壁部の内側に嵌入され、かつ前記壁部の端面に摺動可能に嵌合して該壁部内から抜けないようにする弾性爪と前記弾性係合片とを突出している軸部を有していることを特徴とする請求項１から３の何れかに記載のクリップ。
【請求項５】
前記回動部材は、前記固定部材の内側に挿入される軸部を有し、前記弾性係合片が前記軸部の一部から該軸部との間に隙間を保った状態で軸線上方向に延出され、かつその延出端に前記係合部と係脱する係合突部を形成していることを特徴とする請求項１から４の何れかに記載のクリップ。
【請求項６】
前記係合部は前記固定部材の筒内周囲の複数箇所に設けられて径方向である外側に一段変位している略Ｌ形の段差部からなると共に、前記弾性係合片は前記回動部材の回動により前記段差部に係合した係合状態と前記段差部同士の間を形成している内周面に圧接摺動可能な係合解除状態とに切り換えられることを特徴とする請求項１から５の何れかに記載のクリップ。
【請求項７】
前記ロック部は、下面に設けられて他方部材の上面に当接可能な突起を有していることを特徴とする請求項１から６の何れかに記載のクリップ。
【発明の詳細な説明】
【技術分野】
【０００１】
本発明は、２ピースタイプのクリップに関し、特に一方部材（例えば、装置や機器類又はそれらに他方部材との関係で設けられる部材）に他方部材（例えば、装置や機器類に着脱可能に取り付けられる部品やカバー等の付属品）を着脱可能に取り付けたり拘束する場合に好適なクリップに関する。
【背景技術】
【０００２】
図９は特許文献１に開示されたクリップである反射板取付装置Ａを示している。 この構造は、固定部材であるボディ１２と、ボディ１２に回動可能に内嵌されるラッチ部１１とからなり、反射板取付金具（本願の一方部材に対応）２に反射板（本願の他方部材に対応）１を着脱可能に取り付けたり拘束する場合に用いられる。すなわち、構造特徴は、構成部材が合成樹脂製のボディ１２及び金属製のラッチ部１１からなる点、ラッチ部１１が反射板１に設けられた長孔状の挿通孔２２に挿通され、かつ回動することで反射板１を離間不能にする横片（本願のロック部に対応）１１ａを有している点、反射板１が横片１１ａを両側から規制する対のダボ２３を有している点、ボディ１２がラッチ収納部の内壁に形成してラッチ部１１を上下方向に移動可能にするたわみ部１５を有している点にある。
【０００３】
そして、作動特徴は、反射板側挿通孔２２に対し横片１１ａをその長手方向を一致させて挿通した後、横片１１ａを９０度回転して挿通孔２２の長手方向と略直交する方向に向けた状態で反射板１を吊り下げ保持する。その際、横片１１ａは、ダボ２３を乗り越えて対になったダボ２３間に嵌り込んだ状態で不用意に回転しなくなる。また、横片１１ａがダボ２３を乗り越えるときは、ラッチ部１１が下方に若干移動しなければならないが、その移動はたわみ部１５が上下幅を縮めることにより行われる。
【先行技術文献】
【特許文献】
【０００４】
【特許文献１】実開昭６３−１３２１１１号公報（第１図から第１３図）
【発明の概要】
【発明が解決しようとする課題】
【０００５】
上記した従来構造では、ラッチ部１１が回動操作されて、横片１１ａがたわみ部１５の弾性に抗して反射板１のダボ２３を乗り上げた同（ｂ）の態様から、横片１１ａが同（ｃ）の様にダボ２３を乗り超えてダボ２３とダボ２３との間に配置される係合状態（この状態では反射板１を離間不能にする）、或いは挿通孔２２の長手方向と一致する向きに配置される係合解除状態（この状態では横片１１ａが挿通孔２２から外れて反射板１を離間可能にする）にクリック感を伴って切り換えられる。このため、この従来構造でも、切換時のクリック感つまり節度感により良好な切換操作性が得られる。
【０００６】
ところが、以上のような構造では、クリック感を発生させるダボ２３が取付部品である反射板１に設けられるため外観的な問題を生じ易い。また、使用場所として埃等が多い屋外での使用を想定すると、クリック感を発生する箇所である横片１１ａ及びダボ２３が常に露出されている関係で埃や砂等がダボ周りや横片の下面側に付着したり入り込むと回動操作性が悪くなったり、クリック感も生じなくなる虞もある。また、ボディ１１は、弾性部であるたわみ部１５を一部に形成しているため強度的に問題となり易い。
【０００７】
本発明の目的は、以上のような課題を解消して、クリック感発生部に起因した外観的な問題を生じる虞がなく、また、クリック感発生部が外部の埃や砂等の影響を受け難くし、切換時の安定したクリック感を得られるようにして、使い勝手及び信頼性を向上することにある。他の目的は以下の内容説明のなかで明らかにする。
【課題を解決するための手段】
【０００８】
上記目的を達成するため請求項１の発明は、図１〜図７を参照して特定すると、一方部材（８）に他方部材（７）を着脱可能に拘束する場合に用いられて、前記一方部材に固定するための締結部を有した略筒状の固定部材（１）と、前記固定部材に対して回動可能に内嵌された状態で前記他方部材に設けられた開口（７ａ）を通過し、所定角回動させると前記他方部材を離間不能にするロック部（２２）を有した回動部材（２）とからなるクリップ（３）であって、前記回動部材及び前記固定部材の一方側に設けられた弾性係合片（２７）と、他方側に設けられて前記弾性係合片が係脱する係合部（１３）とからなる係合手段（４）を備え、前記係合手段が前記他方部材よりも前記固定部材側に配置され、前記回動部材を回動して前記係合部に対する前記弾性係合片の係合状態と係合解除状態とを切り換えるのに伴ってクリック感を発生させることを特徴としている。
【０００９】
以上の本発明において、『一方部材』と『他方部材』とは、一方部材に他方部材を拘束つまり取り付けたり連結したり係止するような関係であればよい。『クリック感』は、節度感と同じ意味であり、クリック音を発生しなくてもよく、係合部に対する弾性係合片の係合状態と係合解除状態との切り換えが回動部材の回動操作時に体感できればよい。
【００１０】
以上の本発明は、請求項２〜６で特定したように具体化されることがより好ましい。
（ア）前記係合手段は、前記回動部材が前記固定部材に内嵌された状態で前記固定部材の筒状ないしは筒部の内側に配されている構成である（請求項２）。
（イ）前記固定部材は、筒状の下側周囲壁に設けられて前記一方部材の取付孔に弾性係合する前記締結部である弾性係合脚と、筒状の上側筒内に設けられた前記係合部とを有していると共に、筒状の上側開口が前記回動部材に設けられたフランジ部により閉塞される構成である（請求項３）。
【００１１】
（ウ）前記固定部材は前記係合部の下方で、かつ前記締結部の内側に設けられた略円筒状の壁部を有していると共に、前記回動部材は前記壁部の内側に嵌入され、かつ前記壁部の端面に摺動可能に嵌合して該壁部内から抜けないようにする弾性爪と前記弾性係合片とを突出している軸部を有している構成である（請求項４）
（エ）前記回動部材は、前記固定部材の内側に挿入される軸部を有し、前記弾性係合片が前記軸部の一部から該軸部との間に隙間を保った状態で軸線上方向に延出され、かつその延出端に前記係合部と係脱する係合突部を形成している構成である（請求項５）。
【００１２】
（オ）前記係合部は前記固定部材１の筒内周囲の複数箇所に設けられて径方向である外側に一段変位している略Ｌ形の段差部からなると共に、前記弾性係合片は前記回動部材の回動により前記段差部に係合した係合状態と前記段差部同士の間を形成している内周面に圧接摺動可能な係合解除状態とに切り換えられる構成である（請求項６）。
（カ）前記ロック部は、下面に設けられて他方部材の上面に当接可能な突起を有している構成である（請求項７）。
【発明の効果】
【００１３】
請求項１の発明では、クリック感を発生させる係合手段がクリップ構成部材である固定部材及び回動部材に形成されているため、特許文献１に比べて外観を損ねるというような問題がなくなる。また、クリック感を発生させる係合手段が特許文献１のごとく一方部材や他方部材に関係なく、しかも係合手段が他方部材よりも固定部材側に配置されるため、形態のごとく外部に露出しないようにすることも可能となって埃等の影響を受け難くし易い点で優れている。
【００１４】
請求項２の発明では、クリック感を発生させる係合手段が固定部材の筒内に配されているため特許文献１に比べ、使用箇所として埃等が多い屋外であっても埃や砂等が筒内に侵入し難くなって良好なクリック発生作動を維持できる。
【００１５】
請求項３の発明では、固定部材が一方部材の取付孔に対して締結部として弾性係合脚を係合しワンタッチ操作により取付可能な点で特許文献１と同じ。加えて、この発明では、固定部材が弾性係合片と係脱する係合部を上側筒内に設け、その筒の上側開口を回動部材のフランジ部で閉塞するため、筒内への埃や砂等の侵入の虞がより確実に阻止され、それにより品質及び信頼性を向上できる。
【００１６】
請求項４の発明では、固定部材が係合部下方で、かつ締結部の内側に設けられた略円筒状の壁部を有し、回動部材がその壁部の内側に嵌入される軸部及びその軸部に設けられて前記壁部端面に嵌合して該壁部内から抜けないようにする弾性爪を有しているため、両部材の係合部である壁部及び弾性爪を係合手段と共に形成し易くなり、また回動部材を固定部材にワンタッチ操作により抜け止めできる。
【００１７】
請求項５の発明では、特に、回動部材が固定部材の内側に挿入される軸部を有し、弾性係合片をその軸部の一部から該軸部との間に隙間を保った状態で軸線上方向に延出したため、弾性係合片の追加に伴う大型化を最小限に抑えることが可能となる。
【００１８】
請求項６の発明では、係合部及び弾性係合片が複数からなる構成と、弾性係合片が段差部に係合した係合状態と段差部同士の間を形成している内周面に圧接摺動可能な係合解除状態とに切り換えられる構成とにより切換用のクリック感を確実に得られ、それにより使い勝手を向上できる。
【００１９】
請求項７の発明では、回動部材が図５のごとくフランジ部とロック部との間に他方部材を挟み込んでロック部を介して離間不能に拘束した状態で、ロック部下面の突起により他方部材に対する安定した挟持状態が得られる等の利点を有している。
【図面の簡単な説明】
【００２０】
【図１】形態のクリップを固定部材と回動部材とを分解した状態で示す模式外観図である。
【図２】上記固定部材に回動部材を抜け止めして組み付けた状態で示し、（ａ）は上面図、（ｂ）は（ａ）のＡ−Ａ線断面図、（ｃ）は下面図である。
【図３】（ａ）は図２（ｂ）のＢ−Ｂ線断面図、（ｃ）は（ａ）の状態から回動部材を回動している過程を示す図である。
【図４】上記クリップを用いて一方部材に他方部材を拘束する操作例を示し、（ａ）は上面図、（ｂ）は（ａ）のＣ−Ｃ線断面図、（ｃ）は下面図である。
【図５】図４の状態から拘束完了状態を示し、（ａ）は上面図、（ｂ）は（ａ）のＤ−Ｄ線断面図、（ｃ）は下面図である。
【図６】上記固定部材単品で示し、（ａ）は上面図、（ｂ）は正面図、（ｃ）は側面図、（ｄ）は（ｂ）のＥ−Ｅ線断面図である。
【図７】上記回動部材単品で示し、（ａ）は上面図、（ｂ）は正面図、（ｃ）は側面図、（ｄ）は（ｂ）のＦ−Ｆ線断面図である。
【図８】上記回動部材の変形例を示し、（ａ）は変形例１と４を示す断面図、（ｂ）は変形例２を示す断面図、（ｃ）は変形例３と４を示す断面図である。
【図９】特許文献１の構造を示し、（ａ）は文献１の図３、（ｂ）及び（ｃ）は文献１の図４と図５である。
【発明を実施するための形態】
【００２１】
以下、本発明の形態及び変形例を図面を参照して説明する。この説明では、クリップの構造を詳述した後、主な作動を明らかにし、最後に図８の変形例について言及する。
【００２２】
（構造）形態のクリップ３は、一方部材８に他方部材７を着脱可能に拘束する場合に用いられるもので、一方部材８に固定するための締結部である弾性係合脚１６を有した概略筒状の固定部材１と、固定部材１に対して回動可能に内嵌した状態で他方部材７に設けられた開口７ａを通過し、所定角回動させると他方部材７を離間不能にするロック部２２を有した回動部材２とからなる。
【００２３】
主な要部は、回動部材２及び固定部材１の一方側に設けられた弾性係合片２７と、他方側に設けられて弾性係合片２７が係脱する係合部１３とからなる係合手段４を備えている点、係合手段４が他方部材７よりも固定部材１側に配置されて、回動部材２を回動して係合部１３に対する弾性係合片２７の係合状態と係合解除状態とを切り換えるのに伴ってクリック感を発生させる点、係合手段４が回動部材２を固定部材１に内嵌した状態で固定部材１の筒部１１の筒内に配置されている点、更に固定部材１が下側筒部１５の周囲壁に設けられて一方部材８の取付孔８ａに締結部として弾性係合する弾性係合脚１６、及び筒部１５の内側に設けられた略円筒状の壁部１８を有している点、回動部材２が固定部材１の筒内に挿入される軸部２３と筒部１１の上側開口を閉塞するフランジ部２０、及び壁部１８の内側に嵌入された状態で壁部１８の端面に摺動可能に嵌合して該壁部内から抜けないようにする弾性爪２６を有している点などにある。以下、これらの具体的構成を明らかにする。
【００２４】
ここで、固定部材１及び回動部材２は、何れもが樹脂成形体であるが、樹脂以外でも差し支えない。また、一方部材８は、車載用バッテリーを車体側に拘束する金属製の細長い板状のフレームを想定している。このフレームは、図５に示されるごとく固定部材１を取り付けるために設けられた略矩形の取付孔８ａを有している。他方部材７は、車載用バッテリーを覆うバッテリー用カバーを想定している。このカバーには、回動部材２のロック部２２に対応した開口７ａが設けられている。つまり、この開口７ａは、ロック部２２が同方向に配置された状態で挿通し、かつ、ロック部２２がその挿通された状態で９０度回動されたときに引き抜き不能となる大きさの長方形の穴である。
【００２５】
固定部材１は、図１及び図６に示されるごとく、上記の取付孔８ａより一回り大きな矩形のフランジ部１０と、フランジ部１０の上面に立設された上側の筒部１１と、フランジ部１０の下面に設けられて取付孔８ａに差し込まれる断面矩形の下側の筒部１５とを一体に有している。
【００２６】
筒部１１は、円筒状の内周面１７を形成していると共に、その内周面１７を４等分する箇所に設けられて一段外側に変位している４つの筒部分１１ａ，１１ｂを有している。つまり、筒部１１は、４つに分割されていると共に、分割部同士の間に筒部分１１ａ又は１１ｂを介在した形状となっている。筒部分１１ａ同士は対向し、筒部分１１ｂ同士も対向している。また、これら筒部分１１ａ，１１ｂは、回動部材側の弾性係合片２７が係合する係合部１３を内側に形成している。
【００２７】
各係合部１３は、縦断面が略Ｌ形の段差部１３ａ又は１３ｂを形成している。段差部１３ａには両側を切り欠いた縦溝１４が設けられているが、段差部１３ｂにはそのような縦溝１４が設けられてない。また、内周面１７は、段差部１３ａ，１３ｂの突出端面と連続している。そして、内周面１７は、図１及び図６（ｄ）において、互いに対向している４カ所のうち、対向している２カ所のものが下側筒部１５の下端まで延びた延長
部１７ａを有している。また、その延長部１７ａ同士の間を形成している内周面１７は、フランジ部１０より少し下側まで延びて、略円筒状の壁部１８を形成している。
【００２８】
下側の筒部１５は、対向した両側面にそれぞれ設けられた弾性係合脚１６と、筒内に設けられた前記内周面の延長部１７ａと、前記した壁部１８と、各延長部１７ａの両側に設けられた合計４カ所の規制部１９とを有している。
【００２９】
弾性係合脚１６は、筒部１５の側面に設けられたコ形のスリット１５ａを介して弾性揺動可能となっている。なお、フランジ部１０には、弾性係合脚１６用の型抜き穴１０ａと、壁部１８用の型抜き穴１０ｂとが設けられている。型抜き穴１０ｂは、フランジ部１０から筒部１５の側面部分も切り欠いた状態となっている。壁部１８は、図６（ｄ）から推察されるごとく対向した延長部１７ａの上両側に位置して、後述する回動部材の弾性爪２６を嵌合した状態で摺動し易くするため下端面を平面に形成している。また、壁部１８には、同図の拡大図のごとく緩やかな凹所８ｂが円弧状の内周に形成されている。この凹所８ｂは、弾性爪２６との嵌合状態でガタ付きをなくすため構成である。各規制部１９は、延長部１７ａの両側と筒部１５の側面とを接続した状態で設けられており、図４及び図５（ｃ）のごとく回動部材２の回動を所定の範囲に規制するストッパー面である。
【００３０】
一方、回動部材２は、図１及び図７に示されるごとく、上記筒部１１の上側開口を閉塞するフランジ部２０と、フランジ部２０の上面に断面略十字形の首部２１を介して設けられたロック部２２と、フランジ部２０の下面に突設された軸部２３とを一体に有している。
【００３１】
フランジ部２０は、略円形であり、周囲の一部２０ａが切り欠かれている。首部２１は、基部２１ａがフランジ部２０の上面中央に一体化された状態で、他方部材７の厚さとほぼ同じか、若干長く設けられている。ロック部２２は、他方部材７に設けられた長方形の開口７ａに対し同方向に配置されると、開口７ａの内側より外方へ挿通される矩形の板状となっている。また、ロック部２２は、前後面が中央を窪み２２ａに形成することにより、手で摘み易くなっている。
【００３２】
軸部２３は、フランジ部２０の下面中央に立設されて上側筒部１１から下側筒部１５内に挿入される長であり、先端周囲に設けられた規制突起２４と、規制突起２４の上側周囲にコ形スリット２３ａで区画された状態に設けられた弾性爪２６と、上下略中間から上側に延びている弾性係合片２７とを有している。
【００３３】
すなわち、軸部２３は、先端から上下略中間までが空洞に形成されると共に、その空洞が縦壁２３ｂにより２分割されている。規制突起２４及び弾性爪２６は、軸周囲のうち、その分割された各周囲部分に対向して設けられている。両側の規制突起２４は、それぞれ上記段差部１３ａの両側に設けられた縦溝１４に対応した２個構成であり、回動部材２を固定部材１に組み込むときに対応する縦溝１４に沿って嵌入される。両側の弾性爪２６は、下から上に向かって次第に外へ張り出すように傾斜されている。
【００３４】
弾性係合片２７は、軸周囲のうち、各弾性爪２６と略９０度変位した軸周囲の両側で弾性爪２６より上方に設けられている。また、各弾性係合片２７は、軸部２３の対応部を欠肉することで形成される隙間２８を介して径方向に揺動可能となっている。換言すると、弾性係合片２７は、軸部２３の一部から該軸部との間に隙間２８を保った状態で軸線上方向に延出され、かつその延出端に係合部１３と係脱する係合突部２７ａを有している。係合突起２７ａは、図３のごとく略三角形に形成されており、同図（ａ）のごとく段差部１３ａや１３ｂに係合する。係合突起２７ａはその係合により回転部材２の回転規制用として作用する。また、係合突起２７ａは、その係合状態から回動部材２を回動操作すると、弾性係合片２７の縮径つまり隙間２８側への変形を伴って同図（ｂ）のごとく内周面１７に三角形の頂部を圧接摺動する係合解除状態とに切り換えられる。すなわち、係合突起２７ａは、そのような三角形に形成されることで回転時に滑らかな摺動が得られるようになっている。なお、符号２５は軸部２３のうち、弾性係合片２７同士の間の軸部分に設けられた欠肉部、符号２５ａは軸部２３のうち、隙間２８の真上側の軸部分に設けられた欠肉部である。
【００３５】
（作動）以下、以上のクリップ３の主な作動特徴を図３〜図５を参照し明らかにする。
（ア）クリップ３は、図１に示されるごとく固定部材１に対し回動部材の軸部２３を筒部１１から筒部１５側へ押入するが、その際は各規制突起２４を対応する縦溝１４に位置合わせする。すると、軸部２３は、固定部材側の筒部１１から筒部１５に押入される過程で、各弾性爪２６が段差部１３ａの突出端面に当たって弾性縮径し、通過すると同時に元の形状に復元して、図５（ｂ）のごとく爪先端が壁部１８の端面側に嵌合する。回動部材２は、その壁部１８の端面に対する弾性爪２６の嵌合により、固定部材１に対し回動可能に抜け止めされて組み付けられる。図２〜図５は、以上のようにして回動部材２が固定部材１に抜け止めされた状態つまり組み立てられたクリップ３を示している。
【００３６】
（イ）ところで、以上のクリップ３は、使用例として、図４及び図５に示されるごとく、一方部材８に他方部材７を着脱可能に拘束する場合に用いられる。その際、以上のクリップ３は、フランジ部１０が一方部材８に当接するまで、一方部材８の取付孔８ａに対して下側の筒部１５を押入操作すると、弾性係合脚１６が取付孔８ａの孔上縁に当たって弾性縮径し、通過すると同時に元の形状に復元することで、図４（ｂ）のごとく一方部材８をフランジ部１０と弾性係合脚１６との間に挟み込んだ状態で、弾性係合脚１６の爪先端が取付孔８ａの孔下縁側に係合して固定される。勿論、手順としては、固定部材１を単品で一方部材８の取付孔８ａに弾性係合脚１６を介して係合固定した後、回動部材２をその固定部材１に組み付けるようにしてもよい。
【００３７】
（ウ）他方部材７を一方部材８に取り付けたり拘束する場合は、図４に示されるごとく他方部材７を一方部材８に近づけて回動部材のロック部２２を他方部材の開口７ａに内側から外側へ挿通した後、ロック部２２を摘んで所定角度（この例ではθが９０度）時計回りに回転操作する。すると、この形態では、ロック部２２が図５（ａ）のごとく開口７ａに対する向きが長手方向と交差する向きとなって、他方部材７を離間不能に拘束する。また、この拘束を解放して、他方部材７を再び一方部材８から離間する場合は、ロック部２２を摘んで前記とは逆方向に所定角度（この例ではθが９０度）だけ回転操作して図４の状態に切り換えることになる。以上のような他方部材７の拘束又はその拘束を解放する切り換え操作自体は特許文献１と似ているが、切り換え操作に伴うクリック感（節度感）を発生する構成及び回転範囲を規制する構成は全く相違している。以下、それらの作動について詳述する。
【００３８】
（エ）以上のクリップ３は、図２〜図４に示されるごとく回動部材２が固定部材１に弾性爪２６により抜け止めされた状態において、図３（ａ）のごとく係合手段４を構成している各弾性係合片の係合突起２７ａと係合部３の対応する段差部１３ｂとが係合している。この係合は、上記したごとく回動部材２が段差部１３ｂに対する係合突起２７ａの係合力に抗して回動されたときに係合解除する。係合解除した状態では、図３（ｂ）の実線に示されるごとく、弾性係合片２７が隙間２８を縮める方向へ縮径変位し、それにより係合突起２７ａが内周面１７に乗り上げて内周面１７を圧接摺動しながら回動される。この回動は、図３（ｂ）の一点鎖線に示されるごとく各係合突起２７ａが内周面１７から係合部３の対応する段差部１３ａに係合したときに停止される。つまり、各係合突起２７ａは、対応する段差部１３ａまで回動されると、弾性係合片２７が元の状態に拡径変位し、それによりその対応する段差部１３ａに対して所定の係合力で係合する。
【００３９】
（オ）従って、この形態では、回動部材２を回動操作して、ロック部２２が図４のごとく開口７ａと重なる係止解除状態（他方部材７を離間可能にする状態）と、ロック部２２が図５のごとく開口７ａと交差する係止状態（他方部材７を離間不能にする状態）とに切り換えるとき、係合手段４つまり各係合突起２７ａと係合部３である対応する段差部１３ａ又は１３ｂとの係脱により良好なクリック感が得られる。また、この形態では、係合手段４が特許文献１のごとく一方部材８や他方部材７に関係なく設けられ、かつ筒部１１内に配置されているため特許文献１に比べ外観的な問題を生じない点、係合手段４が図４のごとく他方部材７よりも奥側の固定部材１側に配置される点、係合手段４がフランジ部２０で閉塞される筒部１１内に配置されている点から、特許文献１に比べ、使用箇所として埃等が多い屋外でも埃や砂等が筒内に侵入し難く、それにより良好なクリック発生作動を確実に維持できる。
【００４０】
（カ）ところで、以上のごとく回動部材２の回動過程では、図５（ｂ）のごとく弾性爪２６が壁部１８の下端面にその先端爪を嵌合した状態で回動される。この形態では、その回動範囲が図４（ｃ）のごとく軸部２３の周囲にあって１８０度変位した箇所にある両規制突起２４の２つある内の一方が対応する規制部１９に当たる第１位置から、略９０度回動つまり図５（ｃ）のごとく軸部２３の周囲にあって１８０度変位した箇所にある両規制突起２４の２つある内の他方が対応する規制部１９に当たる第２位置までである。第１位置では、係合手段４が図４（ｂ）のごとく各係合突起２７ａを係合部３の対応する段差部１３ｂと係合している。第２位置では、係合手段４が図５（ｂ）のごとく各係合突起２７ａを係合部３の対応する段差部１３ａと係合している。
【００４１】
（変形例）以上のクリップ３は図８に示したように変形可能である。すなわち、変形例１では、同図（ａ）に示されるごとく回動部材２がロック部２２の下面にあって両側付近に設けられた凸形の突起５を有している。変形例２では、同図（ｂ）に示される前記凸形の突起５に代えて、回動部材２がロック部２２の下面に設けられた逆三角形の突起５ａを有している。変形例３では、同図（ｃ）に示される前記突起５や５ａに代えて、回動部材２がロック部２２の下面に設けられた逆直角三角形の突起５ｂを有している。
【００４２】
以上の突起５，５ａ，５ｂは、回動部材２が図５のごとくフランジ部２０とロック部２２との間に他方部材７を挟み込んで離間不能に拘束した状態で、他方部材７に対する安定した挟持状態が得られる。また、回動部材２が図４の状態から図５の状態、図５の状態から図４の状態に回動されて切り換えられる際は、上記係合手段４によるクリック感と共に、突起５，５ａ，５ｂが開口７ａに落ち込んだり開口７ａから他方部材７の上面に乗り上げるときのクリック感も得られる。なお、以上のような突起の形状としては、突起５，５ａ，５ｂ以外にも、例えば、ロック部２２の下面にあって、図８の左又は右側から見て、逆三角形や逆直角三角形をロック部２２の前後方向に設けてもよい。
【００４３】
変形例４は、同図（ａ）のフランジ部２０の上面に突起６を設けたり、同図（ｃ）の他方部材７の下面に突起９を設ける構成である。突起６や９の形状は、凸形に限られず、例えば同図（ｂ）の突起５ａのごとく逆三角形状にしたり、同図（ｃ）の突起５ｂのごとく逆直角三角形状にしたり、更にそれ以外の形状であってもよい。これら突起６や９は、ロック部２２とフランジ部２０との間に他方部材７を挟持した際、その他方部材７に対するより安定した挟持状態が得られるようにする。
【００４４】
以上のように、本発明のクリップは、各請求項で特定される構成を備えておればよく、細部はこの形態及び変形例を参考にして更に変更したり展開可能なものである。その一例として、形態では係合部を固定部材に設けると共に弾性係合片を回動部材に設けた構成を示したが、その変形例としては係合部を回動部材に設けると共に弾性係合片を固定部材に設けることも可能である。また、用途としては、形態以外にも色々な分野に応用可能であり、また、名称も取付装置やロック装置などと称しても差し支えない。
【符号の説明】
【００４５】
１・・・・固定部材
２・・・・回動部材
３・・・・クリップ
４・・・・係合手段
５・・・・ロック部側の突起
５ａ・・・ロック部側の突起
５ｂ・・・ロック部側の突起
６・・・・フランジ部側の突起
７・・・・他方部材（７ａは開口、９は突起）
８・・・・一方部材（８ａは取付孔）
１０・・・フランジ部
１１・・・上側の筒部（１１ａ，１１ｂは筒部分）
１５・・・下側の筒部
１３・・・係合部（係合手段、１３ａ，１３ｂは段差部）
１６・・・弾性係合脚（締結部）
１７・・・内周面（１７ａは延長部）
１８・・・壁部
１９・・・規制部
２０・・・フランジ部
２１・・・首部
２２・・・ロック部
２３・・・軸部
２４・・・規制突起
２６・・・弾性爪
２７・・・弾性係合片（係合手段、２７ａは係合突起）
２８・・・隙間
【図１】
2015135172.tif 000003
【図２】
2015135172.tif 000004
【図３】
2015135172.tif 000005
【図４】
2015135172.tif 000006
【図５】
2015135172.tif 000007
【図６】
2015135172.tif 000008
【図７】
2015135172.tif 000009
【図８】
2015135172.tif 000010
【図９】
2015135172.tif 000011